(57)【要約】【課題】  本発明は、カップＣの重ねによる重量圧および重ねカップの降下圧による落とし爪機構の故障の発生とカップ同士の嵌め詰まりを防止して、カップを１個づつ確実に高速落とし供給することができるようにしたのである。【構成】  本発明は、縦長形をしたカップ供給筒内の重ねカップを下端の落とし口より１個づつコンベアライン上に高速落とし供給して該カップ内に麺，調味料パックなどの食材を高速連続充填するシステムにおいて、該供給筒内の重ねカップの重量圧および上端から補給する重ねカップの降下圧による下端の落とし爪機構の故障とカップの重ね詰まりを防止するために供給筒内のカップの重ね個数を少なくして重量圧を軽減するとともに１個の落とし供給ごとに上端より同数のカップを供給筒内に落入し補給するようにして、カップの補給時の降下圧を解消するようにしたことを特徴とする食材充填用カップの供給筒におけるカップの供，補給方法にある。【選択図】図１
2009255938.tif 000002
【特許請求の範囲】
【請求項１】
縦長形をしたカップ供給筒内の重ねカップを下端の落とし口より１個づつコンベアライン上に高速落とし供給して該カップ内に麺，調味料パックなどの食材を高速連続充填するシステムにおいて、該供給筒内の重ねカップの重量圧および上端から補給する重ねカップの降下圧による下端の落とし爪機構の故障とカップの重ね詰まりを防止するために供給筒内のカップの重ね個数を少なくして重量圧を軽減するとともに１個の落とし供給ごとに上端より同数のカップを供給筒内に落入し補給するようにして、カップの補給時の降下圧を解消するようにしたことを特徴とする食材の高速充填システムにおけるカップの供，補給方法。
【請求項２】
カップ供給筒の上端に下端の落とし爪機構に連動してカップを１個づつ供給筒内に落入し補給する補給爪機構を設けたことを特徴とする食材の高速充填システムにおけるカップの供，補給装置。
【発明の詳細な説明】
【技術分野】
【０００１】
この発明は、食材の高速充填システムにおけるカップの供，補給方法およびその装置に関するものである。
【背景技術】
【０００２】
従来は図３に示すように２階建ての家屋の１階にコンベアラインを設け、その一端上にカップの供給筒を２階の床に達する長さにおいて設けて、その全長にカップを嵌め重ねして下端の落とし爪機構の上下進退作動にて該カップを１個づつコンベアライン上に高速落とし供給して、麺，調味料パックなどの食材を順次高速充填し、供給筒内のカップの量が半分程度に少なくなった都度に多数個を長尺に嵌め重ねたカップを上端より供給筒内に順次降下落入して補給するようにしている。
【特許文献１】なし
【発明の開示】
【発明が解決しようとする課題】
【０００３】
かかるためにカップ供給筒の下端の落とし爪機構は供給筒内の大量のカップの重量圧によって，また長尺に嵌め重ねた多数のカップの２階からの落下補給による降下圧によって折変等の故障が生じてカップの１個づつの供給ができなくなるという課題があった。特にカップ間の嵌め重ねを深くした狭い開口縁の鍔間に分け入るように薄くした落とし爪においては上記の故障が顕著に生ずるという課題があった。またこれらのカップの重量圧，降下圧によってカップ間に重ね詰まりが生じて１個づつの分離供給が不能になるという課題があった。
【課題を解決するための手段】
【０００４】
本発明は、縦長のカップ供給筒内にカップを下側半分程度以下の少ない数にて嵌め重ね収容して、該カップを下端の落とし爪機構によりコンベアライン上に１個づつ高速落とし供給して、麺，調味料パックなどの食材を連続高速充填し、該供給筒の上端よりカップの１個づつの供給に連動して同数のカップを同時補給することで、供給筒内のカップが少なく、しかも高速供給するにかかわらず供給筒内が空になってカップの供給不能が生じないようにするとともに、供給筒内のカップの重量圧と補給のための降下圧を軽減して、下端の落とし爪機構の故障とおよびカップ間の重ね詰まりを防止するようにして、かかる課題を解決するようにしたのである。
【発明の効果】
【０００５】
本発明は以上のようにして、供給筒内のカップの重ね個数を重量圧の加わらない少数にとどめ、上端からの補給も１個づつにして供給筒内に降下圧が生じないようにしたので、カップの重量圧，降下圧による下端の落とし爪機構の曲折変形などの故障が生じないという効果を生ずる。
【０００６】
供給筒内のカップの重ね個数を少なくすることと上端からのカップの補給を１個づつにすることで、供給筒内のカップ間に嵌め詰まりスタッキングが解消し、カップ間は容易に分離して１個づつを正確にコンベアライン上に高速供給するという効果を生ずる。
【０００７】
１個づつのカップの供給と補給を同時に連動させることで、カップを高速供給するにかかわらず供給筒内が空になってカップの供給不能が生ずることを解消するという効果を生ずる。
【発明を実施するための最良の形態】
【０００８】
本発明は、縦長形をしたカップ供給筒内の重ねカップを下端の落とし口より１個づつコンベアライン上に高速落とし供給して該カップ内に麺，調味料パックなどの食材を高速連続充填するシステムにおいて、該供給筒内の重ねカップの重量圧および上端から補給する重ねカップの降下圧による下端の落とし爪機構の故障とカップの重ね詰まりによるカップ間の分離不能を防止するために供給筒内のカップの重ね個数を少なくして重量圧を軽減するとともに１個の落とし供給ごとに上端より同数のカップを供給筒内に落入し補給するようにして、カップの補給時の降下圧を解消するとともに、供給筒によるカップの供給不能を生ずることなしに高速供給するようにしたのである。カップ供給筒の上端に下端の落とし爪機構に連動してカップを１個づつ供給筒内に落入し補給する補給爪機構を設ける。
【実施例１】
【０００９】
麺，調味料パックなどの食材をカップＣ内に連続して高速充填するコンベアライン１を２階建ての家屋の１階に設け、コンベアライン１上の一端にカップＣを１個づつ高速にて間歇供給する縦長のカップ供給筒２を設ける。カップ供給筒２の上端は２階の床面Ｆに表出して内径はカップＣの開口縁の鍔Ｔの外径より僅かに大きくしてカップＣを降下しやすいようにしてある。３はカップ供給筒２の下端の落とし口に上下３段において設けた落とし爪３ａ，３ｂ，３ｃであり、各爪の上下動と水平進退の連動にてカップＣの開口縁の鍔Ｔ間に分け入って下支えして最下のカップＣより１個づつを順次コンベアライン１上に高速間歇落とし供給するようにしている。落とし爪機構３と同様に補給用の落とし爪４ａ，４ｂ，４ｃにて構成したカップ補給爪機構４を２階の床面Ｆに設け、補給爪機構４と落とし爪機構３間を信号連結して１個のカップＣの落とし供給に連動して１個のカップＣを供給筒２内に落下補給するようにしている。５はカップ補給爪機構４上に設けた嵌め重ねカップＣの補給筒である。
【００１０】
カップ供給筒２内には、常時縦長の半分以下の少ない数のカップＣを嵌め重ね収容して重量圧による落とし爪３ａ，３ｂ，３ｃの曲折変形等の故障が生じないようにする。補給爪機構４上の補給筒５内にも同数にて嵌め重ねたカップＣを順次挿入するようにしている。
コンベアライン１の間歇高速作動とともに、落とし爪機構３も高速作動してコンベアライン１上にカップＣを１個づつ高速にて間歇落とし供給し、この供給信号を受けた補給爪機構４が作動して補給筒５内のカップＣを１個づつ供給筒２内に落入させ補給することとなる。カップＣは１個づつの補給によって降下圧が生じないものとなる。
【００１１】
供給筒２内のカップＣの重ね収容量は軽量のプラスチック製とこれより重い紙製によって重ね量を多少に調整するようにして重量圧が加わらないようにする。
【００１２】
以上のようにして、カップ供給筒２内のカップＣの収容個数を常に少なくしていることと、カップＣを１個づつ落下補給することで供給筒２内はカップＣの重量圧が著しく軽減し、降下圧も生じないことによって、落とし爪機構３の落とし爪３ａ，３ｂ，３ｃの重量圧および降下圧による曲折変形等の故障が全くなくなり、またカップＣ同士の嵌め詰まりも生じないこととなるので、カップＣは容易に分離して１個づつを確実にコンベアライン１上に高速落とし供給することとなる。またカップＣの１個づつの供給と補給の際に開口縁の鍔Ｔ間に落とし爪３ａなどが容易に分け入ることで、開口縁の鍔Ｔを損傷させることがなく、カップ不良の発生も一切解消することとなる。
【００１３】
供給筒２内は少ないカップＣを下端の落とし口より１個づつ高速落とし供給するにかかわらず、上端から同数のカップＣを補給するので、供給筒２内は常に同数のカップＣが存在して、カップＣの供給不能を来たすことは全く生じないものとなる。
【００１４】
カップ供給筒２はコンベアライン１上に高速によって２〜３秒の間に１個の割合にて高速落とし供給するために２階の床面Ｆに届く縦長形にて設けられるが、その内径とカップＣの外径との間には降下するに適した輪状間隙が存在するので、カップＣの重ね量が少なく重量圧がかからなくてもカップＣは順次下方に降下して、カップＣの１個づつの供給と補給は供給筒２内においてつっかえることなく行われることとなる。
落とし爪機構３はカップＣの重量圧と降下圧が加わらないことと、カップＣの嵌め重ね詰まりが生じないことにより、落とし爪機構３と補給爪機構４のそれぞれは故障を生ぜずしてカップＣを１個づつ正確に落下させ、また両爪機構３，４はカップＣの鍔Ｔ間に容易に分け入るため、カップＣ間を１個づつに軽く分離することができて、爪３，４による鍔Ｔの損傷に伴うカップ不良も全く生じないものとなる。
コンベアライン１上は損傷のないカップＣの１個づつの高速落とし供給によって、麺，調味料パック等の食材を高速にて間歇充填し得ることとなる。
【産業上の利用可能性】
【００１５】
本発明は以上のようにして、既設，新設を問わず、食材の高速間歇充填ラインに設ける縦長形をしたカップ供給筒からカップを１個づつコンベアライン上に供給するシステムにおいて広く利用することができるものである。
【図面の簡単な説明】
【００１６】
【図１】（ａ）はカップ供給筒と補給筒の一実施例を示す断面図、（ｂ）はコンベアライン上にカップを１個供給するごとに連動してカップを１個補給する状態を示す断面図
【図２】（ａ）乃至は（ｄ）は補給用の落とし爪の上下動と水平進退の連動にて最下のカップを１個づつ供給筒内に落とし補給する動作を示す説明図で、左側はその縦断面図、右側は平面図
【図３】従来例を示すもので、（ａ）はカップ供給筒の全長に多量のカップを積重ね収容した状態を示す断面図、（ｂ）は供給によってカップの量が少なくなったときに多数個を長尺に嵌め重ねたカップを上端より落下補給する状態を示す断面図
【符号の説明】
【００１７】
１はコンベアライン
２はカップ供給筒
３は落とし爪機構
３ａ，３ｂ，３ｃは落とし爪
４はカップ補給爪機構
４ａ，４ｂ，４ｃは補給用の落とし爪
５はカップの補給筒
Ｃはカップ
Ｔはカップの開口縁の鍔
Ｆは２階の床面
【図１】
2009255938.tif 000003
【図２】
2009255938.tif 000004
【図３】
2009255938.tif 000005